(57)【特許請求の範囲】
【請求項１】
縮小側共役面上に配置された画像表示素子に表示された画像を、拡大側共役面上に拡大像として投写する投写用光学系であって、
縮小側から順に、複数のレンズにより構成され、前記画像表示素子上の画像を中間像として結像させる第１光学系と、複数のレンズにより構成され、前記中間像を前記拡大側共役面上に結像する第２光学系から実質的になり、
下記条件式（１）、（３−１）、および（６）を満足する
ことを特徴とする投写用光学系。
１．５０＜ｆ２／｜ｆ｜＜２．８０  …（１）
０．０５０＜ｅｎＰ／ＴＬ２＜０．１４５  …（３−１）
４．０＜Ｂｆ／｜ｆ｜  …（６）
ただし、
ｆ２：前記第２光学系の焦点距離
ｆ：全系の焦点距離
ｅｎＰ：前記第２光学系の最も拡大側面から拡大側を入射側とした場合の入射瞳位置までの光軸上の距離
ＴＬ２：前記第２光学系の最も縮小側面から最も拡大側面までの光軸上の距離
Ｂｆ：全系のバックフォーカス
【請求項２】
下記条件式（１−１）を満足する
請求項１記載の投写用光学系。
１．５２＜ｆ２／｜ｆ｜＜２．２０  …（１−１）
【請求項３】
下記条件式（２）を満足する
請求項１または２記載の投写用光学系。
８．２０＜Ｉｍφ・ｆ２／ｆ２＜２０．００  …（２）
ただし、
Ｉｍφ：縮小側における有効像円直径
【請求項４】
下記条件式（２−１）を満足する
請求項３記載の投写用光学系。
８．３０＜Ｉｍφ・ｆ２／ｆ２＜１６．００  …（２−１）
【請求項５】
下記条件式（４）を満足する
請求項１から４のいずれか１項記載の投写用光学系。
０．１２５＜Ｉｍφ／ＴＬ２＜０．２４０  …（４）
ただし、
Ｉｍφ：縮小側における有効像円直径
ＴＬ２：前記第２光学系の最も縮小側面から最も拡大側面までの光軸上の距離
【請求項６】
下記条件式（４−１）を満足する
請求項５記載の投写用光学系。
０．１３０＜Ｉｍφ／ＴＬ２＜０．２００  …（４−１）
【請求項７】
前記第２光学系中の光軸上の最大空気間隔を挟んで、縮小側を第１レンズ群、拡大側を第２レンズ群とし、
下記条件式（５）を満足する
請求項１から６のいずれか１項記載の投写用光学系。
０．３０＜ｆ２２／ｆ２１＜２．００  …（５）
ただし、
ｆ２１：前記第１レンズ群の焦点距離
ｆ２２：前記第２レンズ群の焦点距離
【請求項８】
下記条件式（５−１）を満足する
請求項７記載の投写用光学系。
０．４０＜ｆ２２／ｆ２１＜１．７０  …（５−１）
【請求項９】
下記条件式（６−１）を満足する
請求項１記載の投写用光学系。
５．０＜Ｂｆ／｜ｆ｜＜２０．０  …（６−１）
【請求項１０】
前記第１光学系と前記第２光学系は、共通の光軸を有する
請求項１から９のいずれか１項記載の投写用光学系。
【請求項１１】
前記第２光学系中の光軸上の最大空気間隔部分において、最大画角の主光線と前記第２光学系の光軸が交わる
請求項１から１０のいずれか１項記載の投写用光学系。
【請求項１２】
前記中間像は、光軸中心より周辺部が前記第１光学系側に像面湾曲している
請求項１から１１のいずれか１項記載の投写用光学系。
【請求項１３】
前記第１光学系の最も拡大側の面が凹面であり、前記第２光学系の最も縮小側の面が凸面である
請求項１から１２のいずれか１項記載の投写用光学系。
【請求項１４】
光源と、該光源からの光が入射するライトバルブと、該ライトバルブにより光変調された光による光学像をスクリーン上に投写する投写用光学系としての請求項１から１３のいずれか１項記載の投写用光学系とを備えたことを特徴とする投写型表示装置。
【発明の詳細な説明】
【技術分野】
【０００１】
本発明は、投写用光学系および投写型表示装置に関し、特に、液晶表示素子やＤＭＤ（ Digital Micromirror Device：登録商標）等のライトバルブを搭載した投写型表示装置に用いられるのに好適な投写用光学系およびこれを用いた投写型表示装置に関するものである。
【背景技術】
【０００２】
近年、液晶表示素子やＤＭＤ（ Digital Micromirror Device：登録商標）等のライトバルブを搭載した投写型表示装置（プロジェクタともいう）が広く普及し、かつ高性能化してきている。
【０００３】
また、近年のライトバルブの性能向上を受けて、投写用光学系には、ライトバルブの解像度に見合った良好な収差補正が求められている。さらに、プレゼンテーション用など比較的狭い室内空間で使用されることを考慮して、より広角な投写用光学系が強く要望されるようになっている。
【０００４】
このような要望に応えるべく、複数枚のレンズからなる第１光学系で中間像を形成し、同じく複数枚のレンズからなる第２光学系で再結像させる投写用光学系が提案されている。（特許文献１、２参照）
【０００５】
通常の中間像を結ばない光学系のみで構成された投写用光学系は、焦点距離を短くして広角化をしようとすると、どうしても拡大側のレンズが大きくなりすぎてしまうが、上記のように中間結像させる方式の投写用光学系では、第２光学系のバックフォーカスを短縮できるとともに、第２光学系の拡大側のレンズ径を小さくすることが可能であり、焦点距離を短くして広角化するのにも適している。
【先行技術文献】
【特許文献】
【０００６】
【特許文献１】特許第４２１０３１４号明細書
【特許文献２】特開２００６−３３０４１０号公報
【発明の概要】
【発明が解決しようとする課題】
【０００７】
しかしながら、特許文献１は、第１光学系で中間像を形成し、それを非球面ミラーで拡大反射して投写する光学系であり、非球面ミラーを使うことで広角化には適しているが、ミラーサイズが大きくなるためコスト的に非常に不利となる。また、特許文献２は、中間像を境に第１光学系と第２光学系で独立して収差補正を行っているため、昨今要求されているレベルの広角化には達しきれていない。
【０００８】
本発明は上記事情に鑑みなされたものであり、中間像を形成する投写用光学系において、コストを抑えつつ、広角で諸収差が良好に補正された高い投写性能を有する投写用光学系およびこの投写用光学系を備えた投写型表示装置を提供することを目的とするものである。
【課題を解決するための手段】
【０００９】
本発明の投写用光学系は、縮小側共役面上に配置された画像表示素子に表示された画像を、拡大側共役面上に拡大像として投写する投写用光学系であって、縮小側から順に、複数のレンズにより構成され、画像表示素子上の画像を中間像として結像させる第１光学系と、複数のレンズにより構成され、中間像を拡大側共役面上に結像する第２光学系から実質的になり、下記条件式（１）、（３−１）、および（６）を満足することを特徴とする。
１．５０＜ｆ２／｜ｆ｜＜２．８０  …（１）
０．０５０＜ｅｎＰ／ＴＬ２＜０．１４５  …（３−１）
４．０＜Ｂｆ／｜ｆ｜  …（６）
ただし、
ｆ２：第２光学系の焦点距離
ｆ：全系の焦点距離
ｅｎＰ：第２光学系の最も拡大側面から拡大側を入射側とした場合の入射瞳位置までの光軸上の距離
ＴＬ２：第２光学系の最も縮小側面から最も拡大側面までの光軸上の距離
Ｂｆ：全系のバックフォーカス
【００１０】
本発明の投写用光学系においては、下記条件式（１−１）を満足することが好ましい。
１．５２＜ｆ２／｜ｆ｜＜２．２０  …（１−１）
【００１１】
また、下記条件式（２）を満足することが好ましい。なお、下記条件式（２−１）を満足することがより好ましい。
８．２０＜Ｉｍφ・ｆ２／ｆ２＜２０．００  …（２）
８．３０＜Ｉｍφ・ｆ２／ｆ２＜１６．００  …（２−１）
ただし、
Ｉｍφ：縮小側における有効像円直径
ｆ２：第２光学系の焦点距離
ｆ：全系の焦点距離
【００１３】
また、下記条件式（４）を満足することが好ましい。なお、下記条件式（４−１）を満足することがより好ましい。
０．１２５＜Ｉｍφ／ＴＬ２＜０．２４０  …（４）
０．１３０＜Ｉｍφ／ＴＬ２＜０．２００  …（４−１）
ただし、
Ｉｍφ：縮小側における有効像円直径
ＴＬ２：第２光学系の最も縮小側面から最も拡大側面までの光軸上の距離
【００１４】
また、第２光学系中の光軸上の最大空気間隔を挟んで、縮小側を第１レンズ群、拡大側を第２レンズ群とし、下記条件式（５）を満足することが好ましい。なお、下記条件式（５−１）を満足することがより好ましい。
０．３０＜ｆ２２／ｆ２１＜２．００  …（５）
０．４０＜ｆ２２／ｆ２１＜１．７０  …（５−１）
ただし、
ｆ２１：第１レンズ群の焦点距離
ｆ２２：第２レンズ群の焦点距離
【００１５】
また、下記条件式（６−１）を満足することが好ましい。
５．０＜Ｂｆ／｜ｆ｜＜２０．０  …（６−１）
ただし、
Ｂｆ：全系のバックフォーカス
ｆ：全系の焦点距離
【００１６】
また、第１光学系と第２光学系は、共通の光軸を有することが好ましい。
【００１７】
また、第２光学系中の光軸上の最大空気間隔部分において、最大画角の主光線と第２光学系の光軸が交わることが好ましい。
【００１８】
また、中間像は、光軸中心より周辺部が第１光学系側に像面湾曲しているように構成してもよい。
【００１９】
また、第１光学系の最も拡大側の面が凹面であり、第２光学系の最も縮小側の面が凸面であることが好ましい。
【００２０】
本発明の投写型表示装置は、光源と、光源からの光が入射するライトバルブと、ライトバルブにより光変調された光による光学像をスクリーン上に投写する投写用光学系としての上記本発明の投写用光学系とを備えたことを特徴とする。
【００２１】
なお、上記「拡大側」とは、被投写側（スクリーン側）を意味し、縮小投写する場合も、便宜的にスクリーン側を拡大側と称するものとする。一方、上記「縮小側」とは、画像表示素子側（ライトバルブ側）を意味し、縮小投写する場合も、便宜的にライトバルブ側を縮小側と称するものとする。
【００２２】
また、上記「〜から実質的になる」とは、構成要素として挙げたもの以外に、実質的にパワーを有さないレンズ、パワーを有さないミラーや絞りやマスクやカバーガラスやフィルタ等のレンズ以外の光学要素等を含んでもよいことを意図するものである。
【００２３】
また、上記「レンズ群」とは、必ずしも複数のレンズから構成されるものだけでなく、１枚のレンズのみで構成されるものも含むものとする。
【００２４】
また、「バックフォーカス」については、拡大側、縮小側をそれぞれ一般的な撮像レンズの物体側、像側に相当するものとして考え、拡大側、縮小側それぞれをフロント側、バック側とするものとする。
【００２５】
また、上記「Ｉｍφ」は、例えば、投写用光学系の仕様や、投写用光学系が搭載される装置の仕様によって求めることができる。
【００２６】
また、上記のレンズの面形状や屈折力の符号は、非球面が含まれている場合は近軸領域で考えるものとする。
【発明の効果】
【００２７】
本発明の投写用光学系は、縮小側共役面上に配置された画像表示素子に表示された画像を、拡大側共役面上に拡大像として投写する投写用光学系であって、縮小側から順に、複数のレンズにより構成され、画像表示素子上の画像を中間像として結像させる第１光学系と、複数のレンズにより構成され、中間像を拡大側共役面上に結像する第２光学系から実質的になり、下記条件式（１）を満足するものとしたので、コストを抑えつつ、広角で諸収差が良好に補正された高い投写性能を有する投写用光学系とすることが可能となる。
１．５０＜ｆ２／｜ｆ｜＜２．８０  …（１）
【００２８】
また、本発明の投写型表示装置は、本発明の投写用光学系を備えているため、装置を低コスト化できるとともに、広角で高画質の画像を投写することができる。
【図面の簡単な説明】
【００２９】
【図１】本発明の一実施形態にかかる投写用光学系（実施例１と共通）の構成を示す断面図
【図２】本発明の実施例２の投写用光学系の構成を示す断面図
【図３】本発明の実施例３の投写用光学系の構成を示す断面図
【図４】本発明の実施例４の投写用光学系の構成を示す断面図
【図５】本発明の実施例５の投写用光学系の構成を示す断面図
【図６】本発明の実施例６の投写用光学系の構成を示す断面図
【図７】本発明の実施例７の投写用光学系の構成を示す断面図
【図８】本発明の実施例１の投写用光学系の各収差図
【図９】本発明の実施例２の投写用光学系の各収差図
【図１０】本発明の実施例３の投写用光学系の各収差図
【図１１】本発明の実施例４の投写用光学系の各収差図
【図１２】本発明の実施例５の投写用光学系の各収差図
【図１３】本発明の実施例６の投写用光学系の各収差図
【図１４】本発明の実施例７の投写用光学系の各収差図
【図１５】本発明の一実施形態に係る投写型表示装置の概略構成図
【発明を実施するための形態】
【００３０】
以下、本発明の実施形態について図面を参照して詳細に説明する。図１は本発明の一実施形態にかかる投写用光学系の構成を示す断面図である。図１に示す構成例は、後述の実施例１の投写用光学系の構成と共通である。図１においては、画像表示面Ｓｉｍ側が縮小側、第２光学系Ｇ２の最終レンズＬ３２側が拡大側であり、図示されている開口絞りＳｔは必ずしも大きさや形状を表すものではなく、光軸Ｚ上の位置を示すものである。また、図１では軸上光束ｗａおよび最大画角の光束ｗｂも合わせて示している。
【００３１】
この投写用光学系は、例えば投写型表示装置に搭載されて、ライトバルブに表示された画像情報をスクリーンへ投写するものとして使用可能である。図１では、投写型表示装置に搭載される場合を想定して、色合成部または照明光分離部に用いられるフィルタやプリズム等を想定した光学部材ＰＰと、光学部材ＰＰの縮小側の面に位置するライトバルブの画像表示面Ｓｉｍも合わせて図示している。投写型表示装置においては、画像表示面Ｓｉｍで画像情報を与えられた光束が、光学部材ＰＰを介して、この投写用光学系に入射され、この投写用光学系により不図示のスクリーン上に投写されるようになる。
【００３２】
図１に示すように、この投写用光学系は、縮小側から順に、複数のレンズにより構成され、画像表示素子上の画像を中間像として結像させる第１光学系Ｇ１と、複数のレンズにより構成され、中間像を拡大側共役面上に結像する第２光学系Ｇ２から実質的に構成される。
【００３３】
通常の中間像を結ばない光学系のみで構成された投写用光学系は、焦点距離を短くして広角化をしようとすると、どうしても拡大側のレンズが大きくなりすぎてしまうが、本実施形態のように中間結像させる方式の投写用光学系では、第２光学系Ｇ２のバックフォーカスを短縮できるとともに、第２光学系Ｇ２の拡大側のレンズ径を小さくすることが可能であり、焦点距離を短くして広角化するのに適している。また、コストが高い非球面ミラーを必要としないので、コストを抑えることができる。
【００３４】
なお、本実施形態の投写用光学系は、縮小側がテレセントリックに構成されている。ここで「縮小側がテレセントリック」とは、拡大側から縮小側へ向かう方向に光束を見たとき、縮小側共役面である画像表示面Ｓｉｍの任意の点に集光する光束の断面において、上側の最大光線と下側の最大光線との二等分角線が光軸Ｚと平行に近い状態を指すものである。ただし、完全にテレセントリックな場合、すなわち上記二等分角線が光軸Ｚに対して完全に平行な場合に限るものではなく、多少の誤差がある場合も含む。ここで「多少の誤差がある場合」とは、光軸Ｚに対する上記二等分角線の傾きが−３°〜＋３°の範囲内の場合を意味する。
【００３５】
また、下記条件式（１）を満足するように構成されている。条件式（１）は、第２光学系Ｇ２と全系の焦点距離の比を規定したもので、これは中間像を形成する第１光学系Ｇ１のリレー倍率に相当し、条件式（１）を満足することで、リレー方式で広角化を達成するために必要なリレー倍率を適切に設定することができ、これにより広角化を達成しながらも、広角化で問題になる諸収差を適切に補正することが可能になる。条件式（１）の上限以上とならないようにすることで、リレー倍率が大きくなって中間像のサイズが大きくなるのを抑えることができるので、第２光学系Ｇ２のレンズ径の大型化を防ぐことができる。また、第２光学系Ｇ２での歪曲収差、像面湾曲の補正を容易にすることができる。第２光学系Ｇ２に要求されるＦＮｏ．は全系のＦＮｏ．×リレー倍率であり、条件式（１）の下限以下とならないようにすることで、第２光学系Ｇ２に要求されるＦ値（ＦＮｏ．）が小さくなり過ぎるのを防ぐことができるため、広角化と適度に小さいＦ値のレンズに対応した収差補正（特に球面収差や非点収差）が容易となる。なお、下記条件式（１−１）を満足するものとすれば、より良好な特性とすることができる。
１．５０＜ｆ２／｜ｆ｜＜２．８０  …（１）
１．５２＜ｆ２／｜ｆ｜＜２．２０  …（１−１）
ただし、
ｆ２：第２光学系の焦点距離
ｆ：全系の焦点距離
【００３６】
本実施形態の投写用光学系においては、下記条件式（２）を満足することが好ましい。条件式（２）は、縮小側における有効像円直径、第２光学系Ｇ２の焦点距離、全系の焦点距離の関係を規定するもので、条件式（２）の上限以上とならないようにすることで、全系の焦点距離に対する有効像円直径が大きくなり過ぎるのを防ぐとともに、全系の焦点距離に対する第２光学系Ｇ２のパワーが弱くなり過ぎるのを防ぐことができるので、第２光学系Ｇ２のレンズ径の小型化、および全系の小型化を図ることができる。条件式（２）の下限以下とならないようにすることで、全系の焦点距離に対する有効像円直径が小さくなり過ぎるのを防ぐとともに、全系の焦点距離に対する第２光学系Ｇ２のパワーが強くなり過ぎるのを防ぐことができるので、第２光学系Ｇ２に要求される収差補正（特に球面収差や非点収差）が緩和されるため、高性能を実現しやすくすることができる。なお、下記条件式（２−１）を満足するものとすれば、より良好な特性とすることができる。
８．２０＜Ｉｍφ・ｆ２／ｆ２＜２０．００  …（２）
８．３０＜Ｉｍφ・ｆ２／ｆ２＜１６．００  …（２−１）
ただし、
Ｉｍφ：縮小側における有効像円直径
ｆ２：第２光学系の焦点距離
ｆ：全系の焦点距離
【００３７】
また、下記条件式（３）を満足することが好ましい。条件式（３）は、第２光学系Ｇ２の最も拡大側面から拡大側を入射側とした場合の入射瞳位置までの光軸上の距離と第２光学系Ｇ２のレンズ全長の比を規定したもので、一度中間像を形成しない通常の光学系では長いバックフォーカスを確保する必要があるが、本実施形態では一度中間像を形成することで、第２光学系Ｇ２に長いバックフォーカスを確保する必要がないため、一度中間像を形成しない通常の光学系と比較して入射瞳位置をより拡大側にもっていくことができ、第２光学系Ｇ２の最も拡大側のレンズ径を小さくしながら広角化を達成することが可能であり、条件式（３）はそれを満足させるためのものである。条件式（３）の上限以上とならないようにすることで、入射瞳位置をより拡大側に位置させることができ、所望の画角を確保することが容易となる。条件式（３）の下限以下とならないようにすることで、第２光学系Ｇ２のレンズ全長が大きくなり過ぎるのを抑えるとともに、第２光学系Ｇ２の最も拡大側のレンズ径の大型化を抑えることができる。なお、下記条件式（３−１）を満足するものとすれば、より良好な特性とすることができる。
０．０２０＜ｅｎＰ／ＴＬ２＜０．１６０  …（３）
０．０５０＜ｅｎＰ／ＴＬ２＜０．１４５  …（３−１）
ただし、
ｅｎＰ：第２光学系の最も拡大側面から拡大側を入射側とした場合の入射瞳位置までの光軸上の距離
ＴＬ２：第２光学系の最も縮小側面から最も拡大側面までの光軸上の距離
【００３８】
また、下記条件式（４）を満足することが好ましい。条件式（４）は、縮小側における有効像円直径と第２光学系Ｇ２のレンズ全長の比を規定したもので、条件式（４）の上限以上とならないようにすることで、過度の小型化による第２光学系Ｇ２内のレンズ単品の誤差感度が上がり過ぎるのを抑え、製造性を維持することができる。条件式（４）の下限以下とならないようにすることで、所望の有効像円直径の大きさを得ることができるとともに、第２光学系Ｇ２のレンズ全長が大きくなり過ぎるのを抑えることができる。なお、下記条件式（４−１）を満足するものとすれば、より良好な特性とすることができる。
０．１２５＜Ｉｍφ／ＴＬ２＜０．２４０  …（４）
０．１３０＜Ｉｍφ／ＴＬ２＜０．２００  …（４−１）
ただし、
Ｉｍφ：縮小側における有効像円直径
ＴＬ２：第２光学系の最も縮小側面から最も拡大側面までの光軸上の距離
【００３９】
また、第２光学系Ｇ２中の光軸上の最大空気間隔を挟んで、縮小側を第１レンズ群Ｇ２１、拡大側を第２レンズ群Ｇ２２とし、下記条件式（５）を満足することが好ましい。条件式（５）は、第２光学系Ｇ２の第１レンズ群Ｇ２１と第２レンズ群Ｇ２２の焦点距離の比を規定したもので、条件式（５）の上限以上とならないようにすることで、第２レンズ群Ｇ２２に対して第１レンズ群Ｇ２１のパワーが強くなり過ぎるのを抑え、第１光学系Ｇ１に入射するための入射角が大きくなるのを防ぐことができるため、第１光学系Ｇ１での収差補正を容易にすることができる。条件式（５）の下限以下とならないようにすることで、第１レンズ群Ｇ２１に対して第２レンズ群Ｇ２２のパワーが強くなり過ぎるのを抑えることができるため、第２レンズ群Ｇ２２での歪曲収差の補正が容易となる。なお、下記条件式（５−１）を満足するものとすれば、より良好な特性とすることができる。
０．３０＜ｆ２２／ｆ２１＜２．００  …（５）
０．４０＜ｆ２２／ｆ２１＜１．７０  …（５−１）
ただし、
ｆ２１：第１レンズ群の焦点距離
ｆ２２：第２レンズ群の焦点距離
【００４０】
また、下記条件式（６）を満足することが好ましい。条件式（６）は、全系のバックフォーカスを規定するもので、全系の縮小側に色合成用のプリズム等を配置する空間のための必要十分なバックフォーカスを設定するものである。条件式（６）の下限以下とならないようにすることで、バックフォーカスが短くなり過ぎるのを抑えることができるため、色合成プリズム等の配置が容易となる。なお、下記条件式（６−１）を満足するものとすれば、より良好な特性とすることができる。条件式（６−１）の上限以上とならないようにすることで、バックフォーカスが長くなり過ぎるのを抑えることができるため、小型化を図ることができる。
４．０＜Ｂｆ／｜ｆ｜  …（６）
５．０＜Ｂｆ／｜ｆ｜＜２０．０  …（６−１）
ただし、
Ｂｆ：全系のバックフォーカス（空気換算距離）
ｆ：全系の焦点距離
【００４１】
また、第１光学系と第２光学系は、共通の光軸を有することが好ましい。このような構成とすることで光学系全体の構造が簡略化できるので、低コスト化に寄与することが可能である。
【００４２】
また、中間像は、光軸中心より周辺部が第１光学系側に像面湾曲しているように構成してもよい。このように、第１光学系Ｇ１と第２光学系Ｇ２が独立して収差補正を行うのでなく、第１光学系Ｇ１で歪曲収差、非点収差などを残存させておいて、それを第２光学系Ｇ２で相殺させるような収差補正を行うことで、少ないレンズ枚数でも広角化を図りながら諸収差を良くすることが可能となる。
【００４３】
また、第１光学系の最も拡大側の面が凹面であり、第２光学系の最も縮小側の面が凸面であることが好ましい。このような構成とすることで、高い像高における軸外光線に対して歪曲収差補正を行うことが可能となる。
【００４４】
なお、図１に示すように、本実施の形態の投写用光学系は、第１光学系Ｇ１と第２光学系Ｇ２の間に、平面の反射面で光路を折り曲げる第１光路折り曲げ手段Ｒ１を備えるとともに、第２光学系Ｇ２の第１レンズ群Ｇ２１と第２レンズ群Ｇ２２の間に、平面の反射面で光路を折り曲げる第２光路折り曲げ手段Ｒ２を備えたものとしてもよい。
【００４５】
このように、投写用光学系の中間位置に光路折り曲げ手段を配置することにより、投写用光学系の拡大側に光路折り曲げ手段を配置する場合と比較して、光路折り曲げ手段を小型にすることができる。また、投写用光学系中に２つの光路折り曲げ手段を設けることにより、投写用光学系全体の小型化や投写方向の制御が容易となる。また、各光路折り曲げ手段の反射面を平面とすることで、非球面ミラーのような非球面の反射面を持つ光路折り曲げ手段を用いる場合と比較してコストを抑えることができる。
【００４６】
このような態様とした場合、第２光学系中の光軸上の最大空気間隔部分において、最大画角の主光線と第２光学系の光軸が交わることが好ましい。このような構成とすることで第２光路折り曲げ手段Ｒ２のサイズを小型化することができる。
【００４７】
また、第１光路折り曲げ手段および／または第２光路折り曲げ手段は、ミラーであることが好ましい。このようにミラーを用いることで、プリズムと比較して、部材の透過率に起因する光量低下を招くことなく、熱の影響も受けにくく、さらに重量についても軽量にすることができる。また、この様な理由から、各光路折り曲げ手段の部分で水平方向振りや垂直方向振りを行う構成とする場合にも、特性や製造性で有利となる。
【００４８】
また、第１光路折り曲げ手段および／または第２光路折り曲げ手段は、光路を９０度折り曲げる向きに配置されることが好ましい。このような構成とすることで、効率的に投写用光学系全体の小型化を図ることができる。
【００４９】
また、画像表示素子に表示された画像を、１８０度反転した向きに拡大像として投写することが好ましい。このような構成とすることで、スクリーンから投写用光学系を含めたシステム全体のサイズを小型化できる。
【００５０】
次に、本発明の投写用光学系の数値実施例について説明する。
まず、実施例１の投写用光学系について説明する。実施例１の投写用光学系の構成を示す断面図を図１に示す。なお、図１および後述の実施例２〜７に対応した図２〜７においては、画像表示面Ｓｉｍ側が縮小側、第２光学系Ｇ２の最終レンズＬ３２（実施例５のみ最終レンズＬ３４）側が拡大側であり、図示されている開口絞りＳｔは必ずしも大きさや形状を表すものではなく、光軸Ｚ上の位置を示すものである。また、図１〜７では軸上光束ｗａおよび最大画角の光束ｗｂも合わせて示している。
【００５１】
実施例１の投写用光学系は、縮小側から順に、第１光学系Ｇ１と、第１光路折り曲げ手段Ｒ１と、第２光学系Ｇ２から構成され、第１光学系Ｇ１がレンズＬ１〜Ｌ１０の１０枚のレンズから構成され、第２光学系Ｇ２がレンズＬ２１〜Ｌ３２の１２枚のレンズから構成されている。また、第２光学系Ｇ２は、縮小側から順に、第１レンズ群Ｇ２１と、第２光路折り曲げ手段Ｒ２と、第２レンズ群Ｇ２２から構成され、第１レンズ群Ｇ２１がレンズＬ２１〜Ｌ２６の６枚のレンズから構成され、第２レンズ群Ｇ２２がレンズＬ２７〜Ｌ３２の６枚のレンズから構成されている。
【００５２】
実施例１の投写用光学系の基本レンズデータを表１に、諸元に関するデータを表２に、非球面係数に関するデータを表３に示す。以下では、表中の記号の意味について、実施例１のものを例にとり説明するが、実施例２〜７についても基本的に同様である。
【００５３】
表１のレンズデータにおいて、面番号の欄には最も拡大側の構成要素の面を１番目として縮小側に向かうに従い順次増加する面番号を示し、曲率半径の欄には各面の曲率半径を示し、面間隔の欄には各面とその次の面との光軸Ｚ上の間隔を示す。また、ｎｄの欄には各光学要素のｄ線（波長５８７．６ｎｍ）に対する屈折率を示し、νｄの欄には各光学要素のｄ線（波長５８７．６ｎｍ）に対するアッベ数を示す。ここで、曲率半径の符号は、面形状が拡大側に凸の場合を正、縮小側に凸の場合を負としている。基本レンズデータには、開口絞りＳｔ、光学部材ＰＰも含めて示している。開口絞りＳｔに相当する面の面番号の欄には面番号とともに（絞り）という語句を記載している。
【００５４】
表２の諸元に関するデータに、焦点距離ｆ、バックフォーカスＢｆ、Ｆ値ＦＮｏ、全画角２ωの値を示す。
【００５５】
なお、基本レンズデータおよび諸元に関するデータに示す数値は、全系の焦点距離の絶対値が１となるように規格化されたものである。また、各表の数値は、所定の桁でまるめたものである。
【００５６】
表１のレンズデータでは、非球面の面番号に＊印を付しており、非球面の曲率半径として近軸の曲率半径の数値を示している。表３の非球面係数に関するデータには、非球面の面番号と、これら非球面に関する非球面係数を示す。非球面係数は、下記式で表される非球面式における各係数ＫＡ、Ａｍ（ｍ＝３〜１７）の値である。
Ｚｄ＝Ｃ・ｈ２／｛１＋（１−ＫＡ・Ｃ２・ｈ２）１/２｝＋ΣＡｍ・ｈｍ
ただし、
Ｚｄ：非球面深さ（高さｈの非球面上の点から、非球面頂点が接する光軸に垂直な平面に下ろした垂線の長さ）
ｈ：高さ（光軸からの距離）
Ｃ：近軸曲率半径の逆数
ＫＡ、Ａｍ：非球面係数（ｍ＝３〜１７）
【００５７】
【表１】
0006342828.tif 000002
【００５８】
【表２】
0006342828.tif 000003
【００５９】
【表３】
0006342828.tif 000004
【００６０】
実施例１の投写用光学系の各収差図を図８に示す。なお、図８中の左側から順に球面収差、非点収差、歪曲収差、倍率色収差を示す。球面収差、非点収差、歪曲収差を表す各収差図には、ｄ線（波長５８７．６ｎｍ）を基準波長とした収差を示す。球面収差図にはｄ線（波長５８７．６ｎｍ）、Ｃ線(波長６５６．３ｎｍ)、Ｆ線(波長４８６．１ｎｍ)についての収差をそれぞれ実線、長破線、短破線の実線で示す。非点収差図にはサジタル方向、タンジェンシャル方向の収差をそれぞれ実線と短破線で示す。倍率色収差図にはＣ線(波長６５６．３ｎｍ)、Ｆ線(波長４８６．１ｎｍ)についての収差をそれぞれ長破線、短破線で示す。球面収差図のＦＮｏ．はＦ値、その他の収差図のωは半画角を意味する。
【００６１】
なお、基本レンズデータおよび諸元に関するデータに示す数値や、各収差図は全て有限の投写距離におけるものであり、実施例１では、投写距離：１２１．９５０の場合のデータを示している。
【００６２】
上記の実施例１の説明で述べた各データの記号、意味、記載方法は、特に断りがない限り以下の実施例のものについても同様であるので、以下では重複説明を省略する。
【００６３】
次に、実施例２の投写用光学系について説明する。実施例２の投写用光学系の構成を示す断面図を図２に示す。実施例２の投写用光学系は、第１光学系Ｇ１がレンズＬ１〜Ｌ９の９枚のレンズから構成されている以外は、実施例１と同様の構成である。また、実施例２の投写用光学系の基本レンズデータを表４に、諸元に関するデータを表５に、非球面係数に関するデータを表６に、各収差図を図９に示す。実施例２では、投写距離：１２１．９３３の場合のデータを示している。
【００６４】
【表４】
0006342828.tif 000005
【００６５】
【表５】
0006342828.tif 000006
【００６６】
【表６】
0006342828.tif 000007
【００６７】
次に、実施例３の投写用光学系について説明する。実施例３の投写用光学系の構成を示す断面図を図３に示す。実施例３の投写用光学系は、第１光学系Ｇ１がレンズＬ１〜Ｌ９の９枚のレンズから構成されている以外は、実施例１と同様の構成である。また、実施例３の投写用光学系の基本レンズデータを表７に、諸元に関するデータを表８に、非球面係数に関するデータを表９に、各収差図を図１０に示す。実施例３では、投写距離：１２１．６８２の場合のデータを示している。
【００６８】
【表７】
0006342828.tif 000008
【００６９】
【表８】
0006342828.tif 000009
【００７０】
【表９】
0006342828.tif 000010
【００７１】
次に、実施例４の投写用光学系について説明する。実施例４の投写用光学系の構成を示す断面図を図４に示す。実施例４の投写用光学系は、実施例１と同様の構成である。また、実施例４の投写用光学系の基本レンズデータを表１０に、諸元に関するデータを表１１に、非球面係数に関するデータを表１２に、各収差図を図１１に示す。実施例４では、投写距離：１２１．８１１の場合のデータを示している。
【００７２】
【表１０】
0006342828.tif 000011
【００７３】
【表１１】
0006342828.tif 000012
【００７４】
【表１２】
0006342828.tif 000013
【００７５】
次に、実施例５の投写用光学系について説明する。実施例５の投写用光学系の構成を示す断面図を図５に示す。実施例５の投写用光学系は、第１光学系Ｇ１がレンズＬ１〜Ｌ８の８枚のレンズから構成され、第２光学系Ｇ２の第１レンズ群Ｇ２１がレンズＬ２１〜Ｌ２７の７枚のレンズから構成され、第２レンズ群Ｇ２２がレンズＬ２８〜Ｌ３４の７枚のレンズから構成されている。また、実施例４の投写用光学系の基本レンズデータを表１３に、諸元に関するデータを表１４に、非球面係数に関するデータを表１５に、各収差図を図１２に示す。実施例５では、投写距離：１９３．４８５の場合のデータを示している。
【００７６】
【表１３】
0006342828.tif 000014
【００７７】
【表１４】
0006342828.tif 000015
【００７８】
【表１５】
0006342828.tif 000016
【００７９】
次に、実施例６の投写用光学系について説明する。実施例６の投写用光学系の構成を示す断面図を図６に示す。実施例６の投写用光学系は、第１光学系Ｇ１がレンズＬ１〜Ｌ９の９枚のレンズから構成されている以外は、実施例１と同様の構成である。また、実施例６の投写用光学系の基本レンズデータを表１６に、諸元に関するデータを表１７に、非球面係数に関するデータを表１８に、各収差図を図１３に示す。実施例６では、投写距離：１９３．３０８の場合のデータを示している。
【００８０】
【表１６】
0006342828.tif 000017
【００８１】
【表１７】
0006342828.tif 000018
【００８２】
【表１８】
0006342828.tif 000019
【００８３】
次に、実施例７の投写用光学系について説明する。実施例７の投写用光学系の構成を示す断面図を図７に示す。実施例７の投写用光学系は、第１光学系Ｇ１がレンズＬ１〜Ｌ８の８枚のレンズから構成されている以外は、実施例１と同様の構成である。また、実施例７の投写用光学系の基本レンズデータを表１９に、諸元に関するデータを表２０に、非球面係数に関するデータを表２１に、各収差図を図１４に示す。実施例７では、投写距離：１９３．１４２の場合のデータを示している。
【００８４】
【表１９】
0006342828.tif 000020
【００８５】
【表２０】
0006342828.tif 000021
【００８６】
【表２１】
0006342828.tif 000022
【００８７】
実施例１〜７の投写用光学系の条件式（１）〜（６）に対応する値を表２２に示す。なお、全実施例ともｄ線を基準波長としており、下記の表２２に示す値はこの基準波長におけるものである。
【００８８】
【表２２】
0006342828.tif 000023
【００８９】
以上のデータから、実施例１〜７の投写用光学系は全て、条件式（１）〜（６）を満たしており、コストを抑えつつ、１３５°以上の広角で諸収差が良好に補正された高い投写性能を有する投写用光学系であることが分かる。
【００９０】
次に、本発明に係る投写型表示装置の実施形態について、図１５を用いて説明する。図１５は本発明の一実施形態に係る投写型表示装置の概略構成図である。
【００９１】
図１５に示す投写型表示装置１００は、本発明の実施形態にかかる投写用光学系１０と、光源２０と、各色光に対応したライトバルブとしての透過型表示素子１１ａ〜１１ｃと、光源２０からの光束をライトバルブへ導く照明光学部３０とを備えている。照明光学部３０は、色分解のためのダイクロイックミラー１２、１３と、色合成のためのクロスダイクロイックプリズム１４と、コンデンサレンズ１６ａ〜１６ｃと、全反射ミラー１８ａ〜１８ｃとを有する。なお、図１５では、投写用光学系１０は概略的に図示されている。また、光源２０とダイクロイックミラー１２の間にはフライアイ等のインテグレータが配されているが、図１５ではその図示を省略している。
【００９２】
光源２０からの白色光は、照明光学部３０において、ダイクロイックミラー１２、１３で３つの色光光束（Ｇ光、Ｂ光、Ｒ光）に分解された後、それぞれ全反射ミラー１８ａ〜１８ｃにより光路を偏向されてコンデンサレンズ１６ａ〜１６ｃを経て各色光光束にそれぞれ対応する透過型表示素子１１ａ〜１１ｃに入射して光変調され、クロスダイクロイックプリズム１４により色合成された後、投写用光学系１０に入射する。投写用光学系１０は透過型表示素子１１ａ〜１１ｃにより光変調された光による光学像を不図示のスクリーン上に投写する。
【００９３】
透過型表示素子１１ａ〜１１ｃとしては、例えば透過型液晶表示素子等を用いることができる。なお、図１５ではライトバルブとして透過型表示素子を用いた例を示したが、本発明の投写型表示装置が備えるライトバルブは、これに限られるものではなく、反射型液晶表示素子あるいはＤＭＤ等の他の光変調手段を用いてもよい。
【００９４】
本実施形態の投写型表示装置１００は、本発明の投写用光学系１０を備えたものであるから、装置を低コスト化できるとともに、広角で高画質の画像を投写することができる。
【００９５】
以上、実施形態および実施例を挙げて本発明を説明したが、本発明は上記実施形態および実施例に限定されず、種々の変形が可能である。例えば、各レンズの曲率半径、面間隔、屈折率、アッベ数、非球面係数の値は、上記各実施例で示した値に限定されず、他の値をとり得るものである。
【符号の説明】
【００９６】
１０      投写用光学系
１１ａ〜１１ｃ      透過型表示素子
１２、１３      ダイクロイックミラー
１４      クロスダイクロイックプリズム
１６ａ〜１６ｃ      コンデンサレンズ
１８ａ〜１８ｃ      全反射ミラー
２０      光源
３０      照明光学部
１００      投写型表示装置
Ｇ１      第１光学系
Ｇ２      第２光学系
Ｇ２１      第１レンズ群
Ｇ２２      第２レンズ群
Ｌ１〜Ｌ３４      レンズ
ＰＰ      光学部材
Ｒ１      第１光路折り曲げ手段
Ｒ２      第２光路折り曲げ手段
Ｓｉｍ      画像表示面
Ｓｔ      開口絞り
Ｚ      光軸
【図１】
0006342828.tif 000024
【図２】
0006342828.tif 000025
【図３】
0006342828.tif 000026
【図４】
0006342828.tif 000027
【図５】
0006342828.tif 000028
【図６】
0006342828.tif 000029
【図７】
0006342828.tif 000030
【図８】
0006342828.tif 000031
【図９】
0006342828.tif 000032
【図１０】
0006342828.tif 000033
【図１１】
0006342828.tif 000034
【図１２】
0006342828.tif 000035
【図１３】
0006342828.tif 000036
【図１４】
0006342828.tif 000037
【図１５】
0006342828.tif 000038